(57)【要約】【課題】  回転ブレードと刃板を備えてなる草刈用カッター装置において、取付具をガードするガード自体が損傷を受ける等して変形しても、工具による取付具の操作ができるようにして、刃板の交換等の作業に支障を来すことがないようにする。【解決手段】  草刈用カッター装置Ｃは、水平方向に回転する回転ブレード１と、その両端部に取付具３により水平方向に振れ動可能に取り付けてある刃板２を備えている。回転ブレード１の両端部のうち、取付具３が設けられる箇所の回転移動方向において前部となる側の辺部には、ガード体１５が設けられている。ガード体１５は、前方側へ張り出して設けられていた突出片を斜め上方へ傾斜させるよう加工して形成されている。各ガード体１５は、平面視において回転ブレード１の長手方向の縁辺部とやや角度をもって形成されている。【選択図】        図２
2005204625.tif 000002
【特許請求の範囲】
【請求項１】
回転ブレード(1)と、
回転ブレード(1)の両端部に、取付具(3)により振れ動可能に取り付けてある刃板(2)と、
を備えており、
回転ブレード(1)のうち、取付具(3)の回転移動方向において前方側に、回転移動する取付具(3)が物に当たることを防止するガード体(15)が設けられていることを特徴とする、
草刈用カッター装置。
【請求項２】
ガード体(15)は、回転ブレード(1)の一部を変形させて形成されていることを特徴とする、
請求項１記載の草刈用カッター装置。
【請求項３】
ガード体(15)は、回転ブレード(1)に固着して形成されていることを特徴とする、
請求項１記載の草刈用カッター装置。
【請求項４】
ガード体(15)のうち、回転移動方向において前面側が、回転移動方向の前方側に膨出するよう湾曲して、または回転移動方向と交差して本質的に一方向へ傾くよう設けられていることを特徴とする、
請求項１、２または３記載の草刈用カッター装置。
【請求項５】
草刈用カッター装置に使用する回転ブレードであって、
刃板(2)を取り付ける取付具(3)が設けられる部分の回転移動方向において前方側に、回転移動する取付具(3)が物に当たることを防止するガード体(15)が設けられていることを特徴とする、
回転ブレード。
【発明の詳細な説明】
【技術分野】
【０００１】
本発明は、草刈用カッター装置及びそれに使用する回転ブレードに関するものである。更に詳しくは、草刈機や芝刈機等に採用され、回転ブレードとその端部に振れ動可能に取り付けてある刃板を備えてなるカッター装置であって、回転ブレードに刃板を取り付けるボルト・ナット等の取付具の摩耗や損傷を防止または低減でき、刃板の脱落を防止すると共に刃板の交換等の作業に支障を来さないようにしたものに関する。
【背景技術】
【０００２】
草刈機等において採用されるカッター装置の構造は様々であるが、草刈機等の駆動軸と連動する回転軸に取り付けられ、水平方向に回転する回転ブレードと、その両端部に水平方向に振れ動可能（または回動可能）に取り付けてある刃板を備えたカッター装置もそのひとつである。
【０００３】
このような構造のカッター装置の各刃板は、ボルト・ナット等の取付具によって回転ブレードに取り付けられている。回転ブレードは、細長い板状体で厚さが薄いので、取付具は回転ブレードの表裏面からやや突出している。
【０００４】
そして、草刈作業時においてカッター装置は高速で回転するために、取付具は草等との摩擦で次第に摩滅する。また、地面にある石等を撥ねて取付具が損傷することもある。このように、ボルト・ナット等の取付具が摩滅したり損傷すると、取付具の交換等の作業に支障を来し、甚だしい場合は、回転ブレードから刃板が脱落して飛ばされてしまうことがあり非常に危険であった。
【０００５】
このような事態に備えるために、従来より取付具の摩滅や損傷を防止する手段が講じられている。
その手段として一般的なものは、図９、図１０、図１１に示すように、回転ブレード１００の両端部に刃板１０１を取り付けるための取付具１０３（ボルト・ナット等を備えてなる）のナット側の突出部分を、これらと同じ箇所に固着された有底筒状のガード具１０２でガードする構造である。これによれば、取付具１０３を構成するボルト及びナット等の突出部分の摩滅や損傷を防止することができる。
【発明の開示】
【発明が解決しようとする課題】
【０００６】
しかしながら、上記従来の有底筒状のガードを使用した構造には、次のような課題があった。
すなわち、有底筒状のガードは、これを設けない場合の取付具と同様に損傷を受ける等して変形する場合がある。このような場合、取付具はその全周をガードの側壁部によって囲まれているために、取付具自体は損傷していなくても、変形したガードに阻まれて工具が内部に入らず、取付具を操作できなくなり、刃板の交換等の作業に支障を来すことがあった。
また、使用時間が長くなると、ガードの内側に土等が固着し、取付具を操作するにはそれらをきれいに取り除く必要があり、作業が煩雑であった。
【０００７】
（本発明の目的）
本発明の目的は、草刈機や芝刈機等に採用され、回転ブレードとその端部に振れ動可能に取り付けてある刃板を備えてなるカッター装置及びそれに使用する回転ブレードにおいて、取付具をガードするガード自体が損傷を受ける等して変形しても、工具による取付具の操作ができるようにし、またガードに土等が固着することを防止または低減して、刃板の交換等の作業に支障を来すことがないようにすることである。
【課題を解決するための手段】
【０００８】
上記課題を解決するために講じた本発明の手段は次のとおりである。
第１の発明にあっては、
回転ブレードと、
回転ブレードの両端部に、取付具により振れ動可能に取り付けてある刃板と、
を備えており、
回転ブレードのうち、取付具の回転移動方向において前方側に、回転移動する取付具が物に当たることを防止するガード体が設けられていることを特徴とする、
草刈用カッター装置である。
【０００９】
第２の発明にあっては、
ガード体は、回転ブレードの一部を変形させて形成されていることを特徴とする、
第１の発明に係る草刈用カッター装置である。
【００１０】
第３の発明にあっては、
ガード体は、回転ブレードに固着して形成されていることを特徴とする、
第１の発明に係る草刈用カッター装置である。
【００１１】
第４の発明にあっては、
ガード体のうち、回転移動方向において前面側が、回転移動方向の前方側に膨出するよう湾曲して、または回転移動方向と交差して本質的に一方向へ傾くよう設けられていることを特徴とする、
第１、第２または第３の発明に係る草刈用カッター装置である。
【００１２】
第５の発明にあっては、
草刈用カッター装置に使用する回転ブレードであって、
刃板を取り付ける取付具が設けられる部分の回転移動方向において前方側に、回転移動する取付具が物に当たることを防止するガード体が設けられていることを特徴とする、
回転ブレードである。
【００１３】
回転ブレードや刃板は、例えばバネ鋼製の板状体を打ち抜く等して成形または加工をするための基部材を得るが、このときバネ鋼板に無駄な部分が極力出ないように形を求めるのが好ましい。
取付具の種類、構造は特に限定しないが、一般的にはボルト・ナットである。ボルト・ナットの他、公知の各取付具（固着具や締付具等も含む）も採用できる。
【００１４】
取付具と、その回転移動方向の前方に設けられているガード体の間隔（距離）は、特に限定するものではないが、例えばガード体が損傷を受ける等して変形した場合でも、工具を使用した取付具の操作（締め付けたり緩める操作）に支障のない間隔に設定するのが好ましい。
【００１５】
ガード体は、プレス機やベンダー（曲げ加工機）等を使用して回転ブレードの一部を変形させて形成する他、回転ブレードと別につくったものを回転ブレードに溶接やネジ着、ボルト着等の各種取付手段により取り付けてもよい。また、ガード体は単数設けてもよいし、複数設けてもよい。
【００１６】
ガード体のうち、回転移動方向において前面側は、回転移動方向の前方側に膨出するよう湾曲した円柱側面状、球面状等であるが、これらに限定されるものではない。また、ガード体の前面側は、回転移動方向と交差して本質的に一方向へ傾くよう設けられた直面状（平坦面状）、凹凸面状、曲面状等であるが、これらに限定されるものではない。
【００１７】
刃板は、取付具を中心に全周回転できるようにしてもよいし、部分回転できるようにしてもよい。部分回転できるようにしてある場合は、ストッパー等、刃板の回転を一部制限する手段が設けてある。
【００１８】
（作用）
本発明に係る草刈用カッター装置及びそれに使用する回転ブレードの作用を説明する。なお、ここでは説明を分かりやすくするために、本発明の各構成要件のそれぞれに、後述する実施の形態において各部に付与した符号を対応させて付与し説明するが、この符号の付与は、あくまで参考のためであって、各構成要件の上記各部への限定を意味するものではない。
【００１９】
草刈用カッター装置(C)の取付具(3)の周囲は、ガード体(15)が設けられている回転移動方向において前方以外は開いているので、ガード体(15)が変形して取付具(3)との間隔が狭まり、例えばボックスレンチが使用できない場合でも、開いた部分からスパナ等の他の工具で取付具(3)の操作が可能である。
このように、ガード体(15)が変形したとしても、工具を使用した取付具(3)の操作がまったくできなくなることはない。
また、使用時間が長くなっても、ガードに土等が固着することを防止または低減することができ、取付具を操作する際に、それらを取り除く煩雑な作業が不要である。
【００２０】
ガード体(15)が回転ブレード(1)の一部を変形させて形成されているものは、例えば部品を溶接等により固着するよりも製造時における作業が容易にできる。
【００２１】
ガード体(15)のうち、回転移動方向において前面側が、回転移動方向の前方側に膨出するよう湾曲して、または回転移動方向と交差して本質的に一方向へ傾くよう設けられているものは、ガード体(15)が物に当たったときに、その力を逃がすことができるので、衝撃や摩擦あるいは抵抗を低減することができる。また、この構造においてガード体(15)を溶接により固着した場合、溶接箇所が一直線状とはならないため、十分な溶接強度が確保できる。
【発明の効果】
【００２２】
（ａ）本発明に係る草刈用カッター装置及びそれに使用する回転ブレードは、取付具の周囲が、ガード体が設けられている回転移動方向において前方以外は開いているので、ガード体が変形して取付具との間隔が狭まり、例えばボックスレンチが使用できない場合でも、開いた部分からスパナ等の他の工具で取付具の操作が可能である。
従って、草刈作業においてガード体が変形したとしても、工具を使用した取付具の操作がまったくできなくなることはなく、また、使用時間が長くなっても、ガードに土等が固着することを防止または低減することができ、取付具を操作する際に、それらを取り除く煩雑な作業が不要であり、結果的に刃板を交換する等の作業に支障を来すことはない。
【００２３】
（ｂ）ガード体が回転ブレードの一部を変形させて形成されているものは、例えば部品を溶接等により固着するよりも製造時における作業が容易になり、生産性を向上させることができる。
【００２４】
（ｃ）ガード体のうち、回転移動方向において前面側が、回転移動方向の前方側に膨出するよう湾曲して、または回転移動方向と交差して本質的に一方向へ傾くよう設けられているものは、ガード体が物に当たったときに、その力を効率よく逃がすことができるので、衝撃や摩擦あるいは抵抗を低減することができる。これにより、ガード体の摩滅や損傷、変形を防止または低減できる。また、この構造においてガード体を溶接により固着した場合、溶接箇所が一直線状とはならないため、十分な溶接強度が確保できる。
【発明を実施するための最良の形態】
【００２５】
本発明を図に示した実施例に基づき詳細に説明する。
図１は本発明に係る草刈用カッター装置の一実施の形態を示す分解斜視図、
図２は草刈用カッター装置の平面図、
図３は草刈用カッター装置の正面図、
図４は図３におけるＡ−Ａ拡大断面図、
図５は本発明に係る草刈用カッター装置を採用した草刈機の概略側面図である。
【００２６】
草刈用カッター装置Ｃは、例えば図５に示すように、自走式草刈機４に使用されるものである。なお、自走式草刈機４は、本実施の形態に係る草刈用カッター装置Ｃ以外の部分は一般的な構造を有しているので、その構造についての詳細な説明は省略する。
【００２７】
草刈用カッター装置Ｃは、水平方向に回転するように上記回転軸４０に取り付けられる回転ブレード１と、その両端部に取付具３により水平方向に振れ動可能に取り付けてある刃板２を備えた構造を有している。
【００２８】
回転ブレード１はバネ鋼製であり、帯板をプレス加工してつくられている。回転ブレード１には、長手方向の中央部に設けてある水平部１０と、その両側に設けてある中間傾斜部１１と、それらに続けて設けてある先部傾斜部１２が形成されている。
先部傾斜部１２の水平部１０に対する傾斜角度は、中間傾斜部１１の傾斜角度よりやや小さくなるよう設定されている。また、水平部１０から両先部傾斜部１２のほぼ中間部にかけて、上面側へ凸状に変形させた補強部１４が設けられている。
【００２９】
水平部１０の中央部には、上記回転軸４０に取り付けるための軸孔１６が設けてあり、その両側には、軸孔１６より径小の固定用のボルト孔１６０が設けられている。
各先部傾斜部１２の先部には、各刃板２を取り付ける取付具３を挿着するための装着孔１７が設けられており、それより更に先端寄りには、刃板２を取り付ける際、各刃板２を簡易的に固定するために、後述する挿通孔２００との間に線状体等を通す挿通孔１７０がそれぞれ二箇所に設けてある。
【００３０】
各先部傾斜部１２のうち、取付具３が設けられる装着孔１７の回転移動方向において前部となる側の辺部には、先部傾斜部１２の先端部から中間部へかけてガード体１５が設けられている。ガード体１５は、当初前方側へ張り出して設けられていた突出片を斜め上方へ傾斜させるよう曲げ加工して形成されている。その傾斜角度は、本実施の形態においては約７０°であるが、回転移動する取付具３が物に当たることを防止または十分に低減できれば、特に限定するものではない。
なお、上記したようにガード体１５は回転ブレード１の一部を変形させて形成されているので、例えばガード体となる部品を溶接等により固着するよりも製造時における作業が比較的容易にできる。
【００３１】
また、各ガード体１５は、図２からわかるように、平面視において回転ブレード１の長手方向の縁辺部とやや角度をもって形成されている。この傾斜方向は、ガード体１５の先部側が回転ブレード１の幅方向中央へ向かう方向である。また、傾斜角度は、本実施の形態では約１０°であるが、特に限定はしない。
【００３２】
上記したように、各刃板２は回転ブレード１の各先部傾斜部１２の装着孔１７に、取付具３によって取り付けられている。
刃板２は、回転ブレード１より硬いバネ鋼製であり、平面視長方形の板状体である。刃板２の先部側の両側縁辺部には、片刃状の刃部２１、２１ａが設けられている。刃部２１、２１ａの傾斜した刃面は互いに平行に設けられ、刃板２を表裏付け替えて刃板２の回転移動方向の前部側に位置させることにより、刃部２１、２１ａ双方を使用することができる。
【００３３】
刃板２の基部は取付側となっており、基端部寄りには、各刃板２を取り付ける取付具３を挿着するための四角形（他の多角形でもよい）の装着孔２０が設けられている。また、装着孔２０よりも先端寄りには、上記したように挿通孔１７０との間に線状体等を通す挿通孔２００がそれぞれ二箇所に設けてある。
【００３４】
取付具３は、取付ボルト３０、リング状のスペーサ３１、座金３２、バネ座金３３及びナット３４で構成されている。
図１、図４を参照し、取付具３による刃板２の取付構造を説明する。
取付ボルト３０はヘッド部が扁平に形成され、ヘッド部の球面状の中心部には摩滅サイン凹部３０１が設けてある。摩滅サイン凹部３０１は、表面が摩滅して円形の凹部が表面に表れなくなることで交換時期を知らせるものである。
【００３５】
また、取付ボルト３０のボルト部の基部端には、外形が四角形の嵌合部３００が設けてある。取付ボルト３０は、嵌合部３００を刃板２の装着孔２０に互いに回転できないように嵌め込み、装着孔１７に内嵌めされたスペーサ３１（装着孔１７が設けてある部分の厚さよりやや厚く形成してある）にボルト部を挿通し、更にボルト部に座金３２、バネ座金３３を入れてナット３４を締め込むことにより、刃板２を水平方向に振れ動可能に取り付けることができる。
【００３６】
なお、このときに挿通孔１７０、２００間に線状体等を差し込んで通し、先部傾斜部１２に刃板２を簡易的に固定しておけば、ナット３４の締め付けが容易かつ確実にできる。また、取付ボルト３０のボルト部の先端寄りにはピン孔３０２が設けられており、ピン孔に割ピン（図示省略）等を装着することにより、ナット３４の緩みを防止できる。
【００３７】
取付具３のナット３４側の高さは、図３に示すように、ガード体１５の高さより若干高くなるよう形成してある。なお、ガード体１５の高さより高くする場合は、その突出量はできるだけ小さい方が好ましいが、ガード体１５の高さと同じか低くすれば、摩滅量が少なくなるのでより好ましい。
【００３８】
（作用）
本実施の形態に係る草刈用カッター装置Ｃの作用を説明する。草刈用カッター装置Ｃは、図５に示すように、自走式草刈機４の駆動軸と連動する回転軸４０に取り付けられて使用される。自走式草刈機４は、草刈用カッター装置Ｃを水平方向に高速で回転させて走行することにより、草刈作業を行うことができる。
【００３９】
草刈用カッター装置Ｃの回転ブレード１や各刃板２は、草を刈ることによって次第に摩滅する。しかし、取付具３は、ガード体１５によってガードされることで、本質的に草と接触しにくくなっているので、摩滅が防止または低減されている。
また、ガード体１５は上記したように二方向へ傾斜しているので、回転時において物に当たったときに、その力を逃がすことができるので、この点においても衝撃や摩擦（摩滅）あるいは抵抗を低減することができると共にガード体１５自体の損傷も低減できる。これにより、取付具３の交換の頻度を少なくすることができる。
【００４０】
草刈作業においては、回転ブレード１や各刃板２は、地面上にある石、あるいは地面の凸部等に当たることもある。この場合も、ガード体１５は取付具３をガードし、取付具３自体が破損することはほとんどなく、取付具３や刃板２が脱落したり、刃板２の交換ができなくなることはない。
【００４１】
また、取付具３の周囲は、ガード体１５が設けられている回転移動方向において前方以外は開いているので、ガード体１５が変形して取付具３との間隔が狭まり、例えばボックスレンチが使用できない場合でも、開いた部分からスパナ等の他の工具で取付具３の操作が可能である。このように、ガード体１５が変形したとしても、工具を使用した取付具３の操作が可能であり、刃板２の交換を支障なく行うことができる。
また、使用時間が長くなっても、ガード体１５に土等が固着することを防止または低減することができ、取付具３を操作する際に、それらを取り除く煩雑な作業が不要である。
【００４２】
図６はガード体の第２の実施の形態を示す斜視説明図である。なお、図６において、上記実施の形態と同一または同等箇所には同一の符号を付して示し、構造について重複する説明は省略する。また、これについては後述する図７、図８についても同様である。
【００４３】
図６に表したガード体１５ａは、板状の先部傾斜部１２に溶接により後付けして設けられている。ガード体１５ａは、平面視円弧状の板状体であり、取付具３（図６では表していない）の高さと同じに設定されている。
ガード体１５ａは回転移動方向の前方側に膨出するよう湾曲して設けられており、ガード体が物に当たったときに、その力を逃がすことができるので、衝撃や摩擦あるいは抵抗を低減することができる。
【００４４】
図７はガード体の第３の実施の形態を示す斜視説明図である。
図７に示したガード体１５ｂは、平面視ほぼＶ字状の板状体であり、取付具３（図７では表していない）の高さと同じに設定されている。
ガード体１５ｂの前面側の両傾斜面は、回転移動方向と交差して一方向へ傾くよう設けられており、ガード体が物に当たったときに、その力を逃がすことができるので、衝撃や摩擦あるいは抵抗を低減することができる。
【００４５】
図８はガード体の第４の実施の形態を示す斜視説明図である。
図８に示したガード体１５ｃは、平坦部とその両側に設けてある傾斜部を有する板状体であり、取付具３（図８では表していない）の高さと同じに設定されている。
ガード体１５ｃの前面側の両傾斜面は、回転移動方向と交差して一方向へ傾くよう設けられており、ガード体が物に当たったときに、その力を逃がすことができるので、衝撃や摩擦あるいは抵抗を低減することができる。
また、上記ガード体１５ａ、１５ｂ、１５ｃは、溶接により固着されているが、溶接箇所が一直線状とはならないため、十分な溶接強度が確保できる。
【００４６】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４７】
【図１】本発明に係る草刈用カッター装置の一実施の形態を示す分解斜視図。
【図２】草刈用カッター装置の平面図。
【図３】草刈用カッター装置の正面図。
【図４】図３におけるＡ−Ａ拡大断面図。
【図５】本発明に係る草刈用カッター装置を採用した草刈機の概略側面図。
【図６】ガード体の第２の実施の形態を示す斜視説明図。
【図７】ガード体の第３の実施の形態を示す斜視説明図。
【図８】ガード体の第４の実施の形態を示す斜視説明図。
【図９】従来の草刈用カッター装置の構造を示す平面図。
【図１０】従来の草刈用カッター装置の正面図。
【図１１】図１０におけるＢ−Ｂ拡大断面図。
【符号の説明】
【００４８】
Ｃ  草刈用カッター装置
１  回転ブレード
１０  水平部
１１  中間傾斜部
１２  先部傾斜部
１４  補強部
１５  ガード体
１６  軸孔
１６０  ボルト孔
１７  装着孔
１７０  挿通孔
２  刃板
２０  装着孔
２００  挿通孔
２１、２１ａ  刃部
３  取付具
３０  取付ボルト
３００  嵌合部
３０１  摩滅サイン凹部
３０２  ピン孔
３１  スペーサ
３２  座金
３３  バネ座金
３４  ナット
４  自走式草刈機
４０  回転軸
１５ａ  ガード体
１５ｂ  ガード体
１５ｃ  ガード体
【図１】
2005204625.tif 000003
【図２】
2005204625.tif 000004
【図３】
2005204625.tif 000005
【図４】
2005204625.tif 000006
【図５】
2005204625.tif 000007
【図６】
2005204625.tif 000008
【図７】
2005204625.tif 000009
【図８】
2005204625.tif 000010
【図９】
2005204625.tif 000011
【図１０】
2005204625.tif 000012
【図１１】
2005204625.tif 000013